(57)【要約】【課題】従来、本と、その内容に付加したり読んだりする音声は、別の媒体で提供され本の頁をめくりながら読解すると同時に、音声再生は同期させて別の操作を必要とした。また、ノートブックに書き込むときも、同時に録音した音声は、別の媒体に記録されるので、頁をめくりながら書き込みを読むときも、音声再生は同期させて別の操作を必要とした。【解決手段】音声再生と記録が可能で、かつ本の見開かれた頁を検知可能な筐体装置を、本に着脱可能にして、本の各頁には、筐体装置の検知手段に対応した被検知手段を配設し、本と筐体装置が一体となった状態で、頁をめくると、その頁に対応した音声再生や記録が自動的になされるようにした。【選択図】図２
2013052668.tif 000002
【特許請求の範囲】
【請求項１】
複数頁の本と、少なくとも検知手段及び記憶装置とを内蔵した筐体とからなり、該本の、その表裏が頁をなし該本を構成する紙葉に、被検知手段を該紙葉ごとにずらしながら配置し、かつ該被検知手段に対応した該検知手段によって見開き頁を検知し、該記憶装置内の該見開き頁に対応した特定のデータを読み出すことを特徴とする頁連動型入出力装置。
【請求項２】
複数頁の本と、少なくとも検知手段及び記憶装置とを内蔵した筐体とからなり、該本の、その表裏が頁をなし該本を構成する紙葉に、被検知手段を該紙葉ごとにずらしながら配置し、かつ該被検知手段に対応した該検知手段によって見開き頁を検知し、該記憶装置内の該見開き頁に対応した特定の領域にデータを書き込むことを特徴とする頁連動型入出力装置。
【請求項３】
前記検知手段をフォトリフレクタとし、前記被検知手段を前記紙葉の天あるいは小口あるいは地のいずれかの辺に沿った辺縁の一部分としたことを特徴とする請求項１あるいは請求項２記載の頁連動型入出力装置。
【請求項４】
前記検知手段をＲＦＩＤリーダーとし、前記被検知手段を前記紙葉に植設されたＲＦＩＤタグとしたことを特徴とする請求項１あるいは請求項２記載の頁連動型入出力装置。
【請求項５】
前記データは音声データであって、前記筐体内に記録再生のためのマイク及びスピーカー及び音声処理回路を内蔵することを特徴とする請求項１あるいは請求項２記載の頁連動型入出力装置。
【請求項６】
前記本と前記筐体は着脱可能とされ、前記本だけでの利用も可能なことを特徴とする請求項１あるいは請求項２記載の頁連動型入出力装置。
【発明の詳細な説明】
【技術分野】
【０００１】  本発明は、読み書きのための本あるいは記録のためのノートブックに音声やその他のデータを連動させ、読み聞かせや議事録等の用途に対し、読み書き等の視覚による認識と同時に聴覚による認識を連係させ、理解しやすく、かつ、より便利な形態を提供するものである。
【背景技術】
【０００２】  人間にとって、視覚と聴覚が重要なことは言うまでも無いが、脳に対する刺激として時間軸を考慮すると、視覚による認識と聴覚による認識は一体をなし同時性が求められる。【０００３】  本や映画のような視覚や聴覚で楽しむメディアは多くのものが提供されている。【０００４】  映画は視覚と聴覚の両方で同時に楽しめるメディアであるが、設備の整った環境が必要であり、個人で手軽に利用できるとは言い難い。【０００５】  個人で手軽に楽しめるメディアの代表が本である。また本の視覚情報と同時に聴覚情報を提供することは、従来から種々の試みがなされている。【０００６】  例えば絵本は幼児にとって重要な情操教育手段であるが、文字を読めない幼児は絵を追うだけで理解も浅くなるので、読んで聞かせることが望ましいが、そのために、音声が録音されたＣＤ等を添付した絵本も出版されている。【０００７】  また、近年では電子出版が盛んになり、当然、聴覚に訴える音声による出版も提供され普及すると予想される。【０００８】  以上のように、本によって文字、絵等で表現し提供するコンテンツを、同時に音声でも提供することは種々なされているが、いずれの場合も、視覚と聴覚のそれぞれに対応した別体のメディアであり、使用者はそれぞれのメディアを別々に操作しながら時間的な同期をさせることが要求される。【０００９】  視覚情報と聴覚情報を記録する場合についても同様のことが言える。
近年では、電子カメラを使用して両者を同時に記録再生することも可能となったが、その再生のためには、電子ディスプレイやアンプ、スピーカーといった装置が必要であり、常に携行して手軽に利用できるとは言い難い。【００１０】  個人で手軽に記録する方法が、写真を撮影したりメモを書き込んだり、またボイスレコーダーを使って音声記録を行う方法であるが、いずれの場合も視覚と聴覚のそれぞれに対応した別体のメディアであり、後から記録を再生するときには、それぞれのメディアを別々に操作しながら時間的な同期をさせることが要求される。
【発明の概要】
【発明が解決しようとする課題】
【００１１】  本に書かれた文字や絵と、本以外のメディアで提供される音声とを、意図して別々の操作をしないでも、時間的に同期させながら同時に楽しむことを可能とすること。【００１２】  文字や絵による記録と、別のメディアでの音声記録を、意図して別々の操作をしないでも、時間的に同期させながら同時に記録可能にすること。【００１３】  以上のように、視覚情報を得るための本と聴覚情報を得るための記録再生装置を一体化しながら、かつ、本の特定の頁と音声記録領域を対応させ時間的同期をはかること。
【課題を解決するための手段】
【００１４】  本発明は、文字や絵が書かれた複数頁の本に対し、読解以外の別のデータを再生可能な装置を内蔵した筐体を装着し、使用者が頁を繰りながら本を読解すると同時に、見開かれた頁に対応したデータの一部を再生する目的で、その表裏が頁となる本を構成する紙葉の一部に付与された被検知手段を筐体内の検知手段で認識可能にした。【００１５】  あるいは、本発明は、文字や絵を書くための複数頁の本に対し、書き込み以外の別のデータを記録可能な装置を内蔵した筐体を装着し、使用者が頁を繰りながら本に書き込むと同時に、見開かれた頁に対応した別のデータを記録する目的で、その表裏が頁となる本を構成する紙葉の一部に付与された被検知手段を筐体内の検知手段で認識可能にした。【００１６】  使用者が本の頁を繰る操作を支障無く自然に行えるように、上記の、検知手段および被検知手段を、非接触で認識可能なフォトリフレクタと反射用ドグの対とした。【００１７】  さらに同様の目的で、上記の、検知手段および被検知手段を、非接触で認識可能なＲＦＩＤリーダーとＲＦＩＤタグの対とした。【００１８】  読解や書き込みは視覚によるが、聴覚による認識が可能なように、前述の別のデータを音声データとし、本と筐体が一体化された状態で音声を再生あるいは記録可能にした。【００１９】  使用者が本だけを使う場合に支障を与えないように、一体化した本と筐体は、必要に応じて分離可能とした。
【発明の効果】
【００２０】  本発明の頁連動型入出力装置によれば、視覚と聴覚の両方で同時に認識することが可能で、本のコンテンツを理解しやすく、また記録もより正確に行える。さらに使用者が音声データをパソコン等でお気に入りの声で作成したり、背景音を付加したりして筐体内の記憶装置に転送することで、その本の読解者に、使用者のメッセージを送り、より強い印象を与えることも可能となる。【００２１】  さらに、本発明は、見開き頁を非接触で検知し、本の紙葉に配置する被検知手段は、配線を必要としないので、既存の製本工程が大きく変わることなく実現可能である。
以上のように、本発明の効果は明らかなものである。
【図面の簡単な説明】
【００２２】
【図１】本発明の第一実施例を左手前から見た外観斜視図である。
【図２】本発明の第一実施例に於ける本を開いた状態を、左手前から見た外観斜視図である。
【図３】本発明の第一実施例に於ける、左手前から見た分解斜視図である。尚、本は閉じられて分解されていない。
【図４】本発明の第二実施例を左手前から見た外観斜視図である。
【図５】本発明の第二実施例に於ける本を開いた状態を、左手前から見た外観斜視図である。
【図６】本発明の第二実施例に於ける、左手前から見た分解斜視図である。尚、本は閉じられて分解されていない。
【図７】図４に於けるＡ−Ａ断面図である。細部表現のため拡大している。
【図８】本発明の第三実施例を左手前から見た外観斜視図である。
【図９】本発明の第三実施例に於ける本を開いた状態を、左手前から見た外観斜視図である。
【図１０】本発明の第三実施例に於ける、左手前から見た分解斜視図である。尚、本は閉じられて分解されていない。
【図１１】図８に於けるＢ−Ｂ断面図である。細部表現のため拡大している。
【図１２】本発明の三つの実施例に於ける、回路ブロック図である。
【発明を実施するための形態】
【００２３】  以下、本発明の実施の形態を、図を基に説明する。
【００２４】  図１、図２、図３、図１２は本発明による第一実施例を示す。
【００２５】  本２は表表紙２３と裏表紙２４を含んで１６枚の紙葉２２が背２８で背貼りによって製本されている。紙葉には曲がりにくい板紙が使用されている。仮に判型は四六判としている。
【００２６】  図２に示すように、表表紙２３以外の紙葉２２の小口２７の辺縁には切り欠き２ａが設けられている。またその切り欠き２ａはそれぞれの紙葉２２が閉じられた時に重複しないように順繰りに上方に大きくされている。
【００２７】  図２においては、表表紙２３を含む５枚の紙葉２２がめくられ、８頁と９頁が見開かれている。尚、表表紙２３と裏表紙２４は頁として加算しない。
【００２８】  裏表紙２４に両端を固着されたバンド２９を筐体３に掛けることによって、本２と筐体３は一体となる。このとき、図では示していないが、筐体３に植設されたボスと本２の裏表紙２４に開けられた穴等で位置決めされるのは、言うまでもない。
【００２９】  図３は筐体３を分解した状態である。筐体３は上カバー３ａと下カバー３ｂとからなり制御基板４を収納している。検知手段収納部３１の上面は、紙葉２２の切り欠き２ａに沿うように階段状をなし、上面にはフォトリフレクタ４１１の光線を通過させる長穴３２が開けられている。
【００３０】  制御基板４には紙葉２２と同じ数のフォトリフレクタ４１１が実装され、検知手段収納部３１の内側に収まる。この結果、フォトリフレクタ４１１と紙葉２２とは上カバー３ａを介して密接するので、紙葉２２の小口２７の耳が曲がったとしても、確実に紙葉２２の有無を検知可能である。なおこの例では、四六判の縦寸法１８８ｍｍに対し、フォトリフレクタのピッチを１０ｍｍとして１６個配置している。
【００３１】  図２に於いて、表表紙２３を含む５枚の紙葉２２が開かれているので、下から５番目までのフォトリフレクタ４１１の検出出力がＨｉとなり６番目以上はＬｏとなる。
【００３２】  このようにして、見開き頁を検知し、制御基板４上に実装されたマイクロコンピュータ４２、記憶装置４３、音声処理回路４４、再生アンプ４５、スピーカー４６、マイク４７によって、見開き頁に対応した記憶装置４３内のひも付きデータを再生し、あるいはひも付きデータとして記憶装置４３に記録する。
【００３３】  制御基板４には、電池４８、ＳＷ１検知スイッチ４９、ＳＷ２検知スイッチ５０、モード切り替えボタン５１、モード表示ランプ５２も実装されている。
【００３４】  ＳＷ１検知スイッチ４９は筐体３に本２が装着されたことを検知して、かつ電池４８とマイクロコンピュータ４２の間の配線を開閉するので、本２が装着されていない時は、制御基板４は動作しない。
【００３５】  ＳＷ２検知スイッチ５０は本２が開かれているか閉じられているかの状態を判別し、筐体３に本２が装着されていたとしても、本２が閉じられている時には、マイクロコンピュータ４２をスリープ状態とする。また、モード切り替えボタン５１とモード表示ランプ５２は再生と録音のモードを切り替える。
【００３６】  なお、図１２の検知手段４１のひとつであるＲＦＩＤリーダー４１３は、この実施例に於いては存在しない。
【００３７】  図４、図５、図６、図７、図１２は本発明による第二実施例を示す。
【００３８】  本第二実施例は、第一実施例の被検知手段２１、検知手段４１をそれぞれＲＦＩＤタグ２ｂ、ＲＦＩＤリーダー４１３に置き換えたものである。本実施例に用いられているＲＦＩＤはアンテナを持たないチップ上の小さなタイプである。
【００３９】  このタイプはタグ、リーダーともにアンテナ無しで電波による通信を行うため、図７に示すように読み取り範囲２ｃは非常に小さいが、ＲＦＩＤタグ２ｂを紙葉２２の中に埋め込むことが可能で、頁表面には痕跡が出ない。表表紙２３と裏表紙２４を含んで、１２枚の紙葉２２に対し、ＲＦＩＤタグ２ｂは小口２７の辺に沿って１３ｍｍピッチで１２個配置されている。
【００４０】  また、図５、図７に示すように切り欠き２ａを各紙葉２２に設けて、ＲＦＩＤリーダーを斜めに配置し、読み取り範囲２ｃに対応している。
【００４１】  図５に於いて、表表紙２３を含む５枚の紙葉２２が開かれているので、下から５番目までのＲＦＩＤタグ２ｂは検出されず６番目以上は検出される。
【００４２】  前記第一実施例のフォトリフレクタ４１１は遮蔽物の有無しか検出できないのに対し、ＲＦＩＤを使うと、紙葉２２の有無の他に、本２の情報、例えば題名、読むだけの本か、あるいは書き込みか、等も検知できるので、本第二実施例に於いてはモード切り替えボタン５１、モード表示ランプ５２は不要である。
【００４３】  さらに、前記第一実施例においては、ひとつの本２にひとつの記憶装置４３を対応させる必要があり、本２が変われば、例えばＳＤカード等を交換して記憶装置４３を更新する必要があったが、本第二実施例では、その必要がなく、例えばひとつのＳＤカードで複数の本２２に対応可能である。
【００４４】  図１２に於いて、本第二実施例では、検知手段４１のひとつであるフォトリフレクタ４１１、モード切り替えボタン５１、モード表示ランプ５２は存在しない。
【００４５】  図８、図９、図１０、図１１、図１２は本発明による第三実施例を示す。
【００４６】  本第三実施例は、第一実施例の被検知手段２１、検知手段４１をそれぞれＲＦＩＤタグ２ｂ、ＲＦＩＤリーダー４１３に置き換えたものである。本実施例に用いられているＲＦＩＤはアンテナを持ち、複数のタグを読み取り可能なアンチコリジョン機能を備えたタイプである。
【００４７】  このタイプに於いても、チップ状の小さなアンテナ付きＲＦＩＤタグ２ｂが実用化されており、ＲＦＩＤタグ２ｂを紙葉２２の中に埋め込むことが可能で、頁表面には痕跡が出ない。図８、図９、図１０では図示されていないが、第二実施例と同様、表表紙２３と裏表紙２４を含んで、１２枚の紙葉２２に対し、ＲＦＩＤタグ２ｂは小口２７の辺に沿って１３ｍｍピッチで１２個配置されている。
【００４８】  また、ＲＦＩＤリーダー４１３の上方の複数のＲＦＩＤタグ２ｂはアンテナによる輻射電波によって検出されるので、間に紙葉が存在しても問題なく、従って前期第二実施例のように、切り欠き２ａは不要である。なお本第三実施例では、ＲＦＩＤリーダー４１３の外形一杯に張られたアンテナ４１４によって、本２が閉じられた状態では、すべてのＲＦＩＤタグ２ｂが、そのアンテナ内に位置し、検知、読み取りを確実にしている。
【００４９】  本第三実施例では、紙葉２２の小口２７の辺に沿って直線的にＲＦＩＤタグ２ｂを配置しているが、このタイプのＲＦＩＤリーダーはアンテナによって読み取り範囲を広く出来るので、ＲＦＩＤタグは小口２７の辺に沿うだけでなく、横方向にもずらして配置可能であり、本２の判型や紙葉２２の数に応じて広い範囲で対応可能である。
【００５０】  図９に於いて、表表紙２３を含む５枚の紙葉２２が開かれているので、下から５番目までのＲＦＩＤタグ２ｂが検出されず６番目以上は検出される。
【００５１】  前記第一実施例のフォトリフレクタ４１１は遮蔽物の有無しか検出できないのに対し、ＲＦＩＤを使うと、紙葉２２の有無の他に、本２の情報、例えば題名、読むだけの本か、あるいは書き込みか、等も検知できるので、本第三実施例に於いてはモード切り替えボタン５１、モード表示ランプ５２は不要である。
【００５２】  さらに、前記第一実施例においては、ひとつの本２にひとつの記憶装置４３を対応させる必要があり、本２が変われば、例えばＳＤカード等を交換して記憶装置４３を更新する必要があったが、本第三実施例では、その必要がなく、例えばひとつのＳＤカードで複数の本２２に対応可能である。
【００５３】  図１２に於いて、本第三実施例では、検知手段４１のひとつであるフォトリフレクタ４１１、モード切り替えボタン５１、モード表示ランプ５２は存在しない。
【００５４】  前記第二実施例と第三実施例に用いられたＲＦＩＤタグ２ｂはパッシブタイプで電源を必要としないものである。
【００５５】  以上三つの実施例に於いては、小口２７の辺に沿って被検知手段２１と検知手段４１を配列したが、横長の判型の本の場合、天２５、あるいは地２６の辺に沿って配列可能なことは言うまでもない。また、聴覚不自由者のために、例えば振動による触覚を通しての読解以外のデータでもよく、記録再生は必ずしも音声だけとは限らない。
【００５６】  以上三つの実施例を示したが、例えば、検知手段にはフォトリフレクタ４１１とＲＦＩＤリーダー４１３が混在しても良く、実施に於いては、この三つの構成範囲を逸脱しない限りで自由に変更可能である。
【産業上の利用可能性】
【００５７】  以上述べたように、本発明によって本の利用価値、利便性が大幅に高まり、あらゆる分野でひろく利用されるものである。
【符号の説明】
【００５８】１        頁連動型入出力装置
２        本
２１      被検知手段                          ２２      紙葉
２３      表表紙                              ２４      裏表紙
２５      天                                  ２６      地
２７      小口                                ２８      背
２９      バンド                              ２ａ      切り欠き
２ｂ      ＲＦＩＤタグ                        ２ｃ      読み取り範囲
３        筐体
３１      検知手段収納部                      ３２      長穴
３ａ      上カバー                            ３ｂ      下カバー
４        制御基板
４１      検知手段                            ４２      マイクロコンピュータ
４３      記憶装置                            ４４      音声処理回路
４５      再生アンプ                          ４６      スピーカー
４７      マイク                              ４８      電池
４９      ＳＷ１検知スイッチ                  ５０      ＳＷ２検知スイッチ
５１      モード切り替えボタン                ５２      モード表示ランプ
４１１      フォトリフレクタ
４１２      ＲＦＩＤタグ
４１３      ＲＦＩＤリーダー
４１４      アンテナ
【図１】
2013052668.tif 000003
【図２】
2013052668.tif 000004
【図３】
2013052668.tif 000005
【図４】
2013052668.tif 000006
【図５】
2013052668.tif 000007
【図６】
2013052668.tif 000008
【図７】
2013052668.tif 000009
【図８】
2013052668.tif 000010
【図９】
2013052668.tif 000011
【図１０】
2013052668.tif 000012
【図１１】
2013052668.tif 000013
【図１２】
2013052668.tif 000014